(57)【要約】【課題】簡単な操作によりチューブの流路を閉塞可能とすることで、作業性を向上させることができるクランプを提供する。【解決手段】クランプ１０Ａは、所定の厚みを有する基部８１と、基部８１の厚み方向と直交する部分から延出する一対の延出部８２、８２と、を有する。クランプ１０Ａは、平面視で一対の延出部８２、８２の間に形成される空間部７０の基部８１側に向かってチューブ１６を入り込ませることで、チューブ１６の流路１６ａを閉塞する。基部８１は、少なくとも厚み方向の一方に、空間部７０の延在方向と平行に延在してチューブ１６を配置可能な溝部８７を有する。【選択図】図２
2020048831.tif 000002
【特許請求の範囲】
【請求項１】
所定の厚みを有する基部と、前記基部の厚み方向と直交する部分から延出すると共に一対の延出部が設けられたクランプ本体と、を有し、平面視で前記一対の延出部の間に形成される空間部の前記基部側に向かってチューブを入り込ませることで、前記チューブの流路を閉塞するクランプであって、
前記基部は、少なくとも前記厚み方向の一方に、前記空間部の延在方向と平行に延在して前記チューブを配置可能な溝部を有する
クランプ。
【請求項２】
請求項１記載のクランプにおいて、
前記基部は、前記厚み方向に向かって隆起する一対の隆起部を有し、
前記一対の隆起部の間に前記溝部が設けられている
クランプ。
【請求項３】
請求項２記載のクランプにおいて、
前記基部は、前記一対の延出部が連結している面と反対側の面に平坦部又は凹部を有する
クランプ。
【請求項４】
請求項１〜３のいずれか１項に記載のクランプにおいて、
前記溝部は、前記基部の前記一対の延出部が連結されている面と、この面の反対面とに開放部を有する
クランプ。
【請求項５】
請求項１〜４のいずれか１項に記載のクランプにおいて、
前記基部は、前記厚み方向の両方に前記溝部を有する
クランプ。
【請求項６】
請求項１〜５のいずれか１項に記載のクランプにおいて、
前記一対の延出部は、前記空間部を構成する内辺部の各々に内側に突出する凸部を有し、
前記空間部は、前記一対の凸部の間に形成され前記チューブの外径よりも狭い狭隘空間と、
前記狭隘空間の前記基部側に連通して、前記流路を開放した状態で前記チューブを待機可能な待機空間と、
前記待機空間の前記基部側に連通して、前記チューブを挟み込むことで前記流路を閉塞する挟持空間と、を有する
クランプ。
【請求項７】
請求項６記載のクランプにおいて、
前記一対の延出部の各々には、前記凸部よりも前記基部から離れる方向に延出する延出ガイド部が設けられ、
前記一対の延出ガイド部は、延出方向に沿って相互に離間することで、前記狭隘空間に連通し且つ前記空間部が幅方向に広がる受容空間を形成している
クランプ。
【請求項８】
請求項１〜７のいずれか１項に記載のクランプにおいて、
前記一対の延出部は、少なくとも延出方向途中位置から、前記溝部の形成側に傾いている
クランプ。
【発明の詳細な説明】
【技術分野】
【０００１】
本発明は、チューブの流路を閉塞するクランプに関する。
【背景技術】
【０００２】
血液を遠心分離するシステムでは、血液成分（例えば、乏血小板血漿（platelet poor plasma：ＰＰＰ））をバッグに貯留した後に、他のバッグの液体との混合を防ぐために、バッグに繋がるチューブの流路をクランプで閉塞している。
【０００３】
例えば、特許文献１には、顎部（基部）と、顎部から延出する一対の保持部（延出部）とを有し、一対の延出部の間に基部側に向かって幅が狭くなる流路遮断空間（空間部）を備えたクランプが開示されている。ユーザは、クランプの使用時に、チューブの側方からクランプを差し込み、さらに空間部の奥側までチューブを移動させる。これにより、一対の延出部がチューブを挟み込んで内部の流路を閉塞する。
【先行技術文献】
【特許文献】
【０００４】
【特許文献１】実公平７−３１７８９号公報
【発明の概要】
【発明が解決しようとする課題】
【０００５】
ところで、特許文献１に開示されているクランプは、全体的に板状を呈し、また内側に突出する凸部によって空間部の導入部分が狭くなっている。このため、ユーザは、クランプの使用時に、チューブの延在方向に対して一対の延出部を多少でも傾いた姿勢にしてしまうと、チューブを空間部内になかなか挿入できないという不都合がある。このため、チューブの取り付けに手間取る機会が多くなる。特に、血液を遠心分離するシステムでは、流路を閉塞する予定のチューブが多数存在し、これに応じて多数のクランプを使用するので、作業時間が大幅に増える可能性がある。
【０００６】
本発明は、上記の課題を解決するためになされたものであって、簡単な操作によりチューブの流路を閉塞可能とすることで、作業性を向上させることができるクランプを提供することを目的とする。
【課題を解決するための手段】
【０００７】
前記の目的を達成するために、本発明の一態様は、所定の厚みを有する基部と、前記基部の厚み方向と直交する部分から延出すると共に一対の延出部が設けられたクランプ本体と、を有し、平面視で前記一対の延出部の間に形成される空間部の前記基部側に向かってチューブを入り込ませることで、前記チューブの流路を閉塞するクランプであって、前記基部は、少なくとも前記厚み方向の一方に、前記空間部の延在方向と平行に延在して前記チューブを配置可能な溝部を有する。
【発明の効果】
【０００８】
上記のクランプは、基部の少なくとも厚み方向の一方に溝部を有することで、クランプをチューブに取り付ける際に、チューブを溝部に一旦配置させて、チューブの延在方向とクランプの空間部の延在方向とを一致させることができる。よって、クランプのユーザは、チューブを溝部に位置させつつ、チューブと相対的にクランプを傾ければ、チューブを空間部に容易に差し込むことができる。すなわち、クランプは、簡単な操作で、チューブを空間部内に誘導させて、一対の延出部によりチューブの流路を閉塞することができる。従って、クランプの使用時の作業性が向上し、例えば多数のチューブにクランプをそれぞれ取り付ける場合でも、ユーザは短時間に作業を行うことが可能となる。
【図面の簡単な説明】
【０００９】
【図１】本発明のクランプが適用される遠心分離移送装置及び血液バッグシステムを示す説明図である。
【図２】第１実施形態に係るクランプの斜視図である。
【図３】図３Ａは、図２のクランプの平面図である。図３Ｂは、図２のクランプの側面図である。図３Ｃは、図３ＡのＩＩＩＣ−ＩＩＩＣ線断面図である。
【図４】図４Ａは、クランプの使用方法を示す第１説明図である。図４Ｂは、クランプの使用方法を示す第２説明図である。図４Ｃは、クランプの使用方法を示す第３説明図である。
【図５】図５Ａは、クランプの使用方法を示す第４説明図である。図５Ｂは、クランプの使用方法を示す第５説明図である。
【図６】図６Ａは、クランプの別の使用方法を示す説明図である。図６Ｂは、クランプのさらに別の使用方法を示す説明図である。
【図７】図７Ａは、第２実施形態に係るクランプの斜視図である。図７Ｂは、図７Ａのクランプの側面図である。
【発明を実施するための形態】
【００１０】
以下、本発明について好適な実施形態を挙げ、添付の図面を参照して詳細に説明する。
【００１１】
〔第１実施形態〕
本発明の第１実施形態に係るクランプ１０Ａは、例えば図１に示すように、血液を遠心分離する遠心分離移送装置１２の血液バッグシステム１４において、チューブ１６の流路１６ａを遮断（閉塞）するために使用される。よって、まずクランプ１０Ａが適用される血液バッグシステム１４及び遠心分離移送装置１２について説明する。
【００１２】
血液バッグシステム１４は、複数のバッグ１８等をチューブ１６で接続することにより構成され、ユーザにより遠心分離移送装置１２にセットされる。遠心分離移送装置１２は、バッグ１８の血液に遠心力を付与することにより、血液を比重の異なる複数の血液成分（例えば、ＰＰＰと濃厚赤血球（Red Blood Cells：ＲＢＣ））に分離し、各血液成分を異なるバッグ１８に保存させる。
【００１３】
具体的には、血液バッグシステム１４は、血液採取部２０、前処理部２２及び分離処理部２４を有する。
【００１４】
血液採取部２０は、ドナーから血液（全血）を採取する部分であり、採血針２６、採血バッグ２８及び初流血バッグ３０等をチューブ１６で接続して構成される。前処理部２２は、採血バッグ２８と分離処理部２４の親バッグ３４との間に設けられ、フィルタ３２（例えば、白血球除去フィルタ）により、全血から所定の血液成分（例えば、白血球）を除去する。分離処理部２４は、親バッグ３４、子バッグ３６、薬液バッグ３８等をチューブ１６で接続して構成される。分離処理部２４は、遠心分離移送装置１２に直接セットされて、前処理部２２により所定成分が除去された残余の血液（例えば、白血球除去血液）を遠心分離する部分となる。
【００１５】
より詳細には、分離処理部２４の親バッグ３４は、白血球除去血液を収容（貯留）する容器と、この血液成分を遠心分離して得られた沈降成分である濃厚赤血球（ＲＢＣ）を保存する容器とを兼ねている。一方、子バッグ３６は、親バッグ３４内の白血球除去血液を遠心分離して得られた上清成分である乏血小板血漿（ＰＰＰ）を保存する。また、薬液バッグ３８は、ＭＡＰ液、ＳＡＧＭ液、ＯＰＴＩＳＯＬ等の赤血球保存液を予め収容している。
【００１６】
分離処理部２４は、複数のチューブ１６と、３ポートの分岐コネクタ４０とを有する。複数のチューブ１６は、親バッグ３４と分岐コネクタ４０を接続する第１チューブ４２、子バッグ３６と分岐コネクタ４０を接続する第２チューブ４４、及び薬液バッグ３８と分岐コネクタ４０を接続する第３チューブ４６を含む。第１チューブ４２の親バッグ３４側の端部には、破断可能な封止部材４２ａが設けられ、第３チューブ４６の薬液バッグ３８側の端部には、破断可能な封止部材４６ａが設けられる。封止部材４２ａ、４６ａは、破断操作が行われるまで、各バッグ３４、３８内の液体を他のバッグに移送することを防止する。また、第１チューブ４２の途中位置には、クランプ４８が設けられている。クランプ４８は、第１チューブ４２の流路１６ａを開閉する機能を有している。
【００１７】
以上の血液バッグシステム１４は、ユーザの操作下に、血液採取部２０によりドナーから全血を採取して採血バッグ２８に貯留する。さらに、血液バッグシステム１４は、前処理部２２により全血の白血球成分を除去することで、白血球除去血液を親バッグ３４に貯留する。そして、血液バッグシステム１４は、親バッグ３４に血液（白血球除去血液）が貯留された状態で、ユーザにより遠心分離移送装置１２に装着される。
【００１８】
遠心分離移送装置１２は、箱状の基体５０と、基体５０の上面を開閉可能な蓋５２と、基体５０内に設けられる遠心ドラム５４と、を備える。また、遠心分離移送装置１２の基体５０には、遠心分離移送装置１２の動作を制御する制御部（不図示）と、制御部に接続され動作内容をユーザが入力可能な操作表示部５６と、が設けられている。
【００１９】
遠心ドラム５４には、例えば、６つのユニット挿入孔５４ａが設けられ、各ユニット挿入孔５４ａには図示しないインサートユニットが挿入される。この遠心ドラム５４には、各インサートユニットに対して回転径方向に進退する図示しない押し子が設けられている。
【００２０】
インサートユニットは、ユニット挿入孔５４ａに挿入可能な形状（遠心ドラム５４の中心側から径方向外側に向かって幅広となる扇状）のシステムボックスを有する。システムボックスの内部には、全血（白血球除去血液）用の親バッグ３４を収容する第１チャンバと、子バッグ３６を収容する第２チャンバと、薬液バッグ３８を収容する第３チャンバとが設けられている。例えば、第１チャンバは、システムボックスの中央部に設けられ、第２チャンバと第３チャンバは、第１チャンバの径方向外側において周方向に互いに並ぶように設けられる。
【００２１】
また、システムボックスは、分離処理部２４のチューブ１６（第１〜第３チューブ４２、４４、４６）の一部を、上部（上面）において保持する構成となっている。例えば、上部において第１チャンバの隣接位置には、分離処理部２４の分岐コネクタ４０を固定する図示しないホルダが設けられている。そして、本実施形態に係るクランプ１０Ａは、システムボックスの上部（第１チャンバの隣接位置）に配置されている第２チューブ４４と第３チューブ４６の流路をそれぞれ開閉するために適用される。
【００２２】
次に、図２、図３Ａ及び図３Ｂを参照して、本実施形態に係るクランプ１０Ａについて説明する。なお以下では、図２中の矢印表記に基づき、クランプ１０Ａの長手方向を矢印Ｘ方向、クランプ１０Ａの短手方向を矢印Ｙ方向、クランプ１０Ａの厚み方向を矢印Ｚ方向という。また、長手方向一端をＸ１、長手方向他端をＸ２といい、短手方向一端をＹ１、短手方向他端のＹ２ともいい、厚み方向一端をＺ１、厚み方向他端をＺ２ともいう。
【００２３】
クランプ１０Ａは、チューブ１６が挿入及び配置される空間部７０を有するクランプ本体８０と、クランプ本体８０の基端側（矢印Ｘ１側）に連結される基部８１と、を備える。また、クランプ本体８０は、基部８１の厚み方向と直交する部分に延出する一対の延出部８２、８２と、基部８１と一対の延出部８２、８２との間を連結する連結部８３と、を有する。空間部７０は、平面視で、一対の延出部８２、８２の間に形成されている。ユーザは、この空間部７０にチューブ１６を入れ、さらに空間部７０の奥（基部８１）側に向かってチューブ１６を進入させることで、チューブ１６の流路１６ａを閉塞する。
【００２４】
基部８１は、矢印Ｘ方向に長く、矢印Ｙ方向に短い長方形状に形成されている。この基部８１は、連結部８３の矢印Ｘ１側に連なり厚み方向（矢印Ｚ方向）に向かって隆起する一対の隆起部８４、８４を有する。基部８１と連結部８３との矢印Ｙ方向の幅は、概ね同じ（又は基部８１が若干大きい）寸法に設定されている。
【００２５】
連結部８３は、一対の延出部８２、８２の厚みと同じ厚みで略一定に延在する板状に形成されている。連結部８３の矢印Ｘ方向の寸法は基部８１の矢印Ｘ方向の寸法よりも短い。一対の延出部８２、８２は、矢印Ｙ１側の端部と矢印Ｙ２側の端部とにそれぞれ連結されて、矢印Ｘ２方向に延出している。なお、クランプ１０Ａは、連結部８３を備えない構成でもよく、一対の延出部８２、８２が基部８１から直接延出していてもよい。
【００２６】
一対の隆起部８４、８４は、連結部８３を基準として、矢印Ｚ１方向と矢印Ｚ２方向の両方に隆起している。つまり、連結部８３は隆起部８４の矢印Ｚ方向の中央部に連結されている。隆起部８４は、クランプ１０Ａの側面視で、厚み方向に扁平な楕円形状（丸角の曲率が小さな長方形状）に形成されている。一対の隆起部８４、８４の矢印Ｙ方向の両側面は、平坦状に形成されており、ユーザがクランプ１０Ａを使用する際に、基部８１を摘むための部分となっている。
【００２７】
また、基部８１は、一対の延出部８２、８２が連結している箇所とは反対側（基端側：矢印Ｘ１側）に平坦部８５を有する。この平坦部８５は、クランプ１０Ａの空間部７０の奥側にチューブ１６を入れ込む際に、ユーザの指が接触可能な部分を構成している。なお、基部８１の基端側は、平坦部８５を備えた形状に限定されず、例えば、矢印Ｘ２側に窪む凹部８６（図３Ｂ中の１点鎖線参照）に形成されてもよい。
【００２８】
連結部８３（クランプ本体８０）に対する一対の隆起部８４、８４の突出量は、特に限定されるものではないが、後述する溝部８７の深さを勘案することが好ましく、例えば、チューブ１６の外径よりも大きな寸法に設定されているとよい。一対の隆起部８４、８４は、クランプ１０Ａの製造において連結部８３と共に一体に成形されてもよく、クランプ本体８０の成形後に、インサート成形等の別工程で成形されてもよい。
【００２９】
そして、基部８１の上面（一方：矢印Ｚ１側の面）及び下面（他方：矢印Ｚ２側の面）には、チューブ１６を配置可能な溝部８７が設けられている。すなわち、溝部８７は、一対の隆起部８４、８４の間に設けられている。この溝部８７は、基部８１において、空間部７０の延在方向（矢印Ｘ方向）と平行に延在し、基部８１の矢印Ｘ２側の開放部（先端開放部８８という）と、矢印Ｘ１側の開放部（基端開放部８９という）とに連通している。先端開放部８８、基端開放部８９は、溝部８７の底部８７ａと同じ深さに形成されている。
【００３０】
溝部８７（先端開放部８８及び基端開放部８９）の底部８７ａは、正面視で、チューブ１６の外形の曲率よりも小さな曲率の円弧状に形成されている。また一対の隆起部８４、８４は、溝部８７の底部８７ａに連なる一対の内壁部８７ｂを有し、内壁部８７ｂは、滑らかな湾曲部８７ｃ（Ｒ形状）を介して隆起部８４の上面や下面に連なっている。換言すれば、溝部８７は、基部８１の上面や下面に対して所定の深さ（基部８１の厚み方向中央部に達しない深さ）で刻設されているとも言い得る。溝部８７の深さ（矢印Ｚ方向の寸法）は、チューブ１６の外径よりも小さくてもよく、大きくてもよい。
【００３１】
一方、クランプ本体８０の一対の延出部８２、８２は、連結部８３から矢印Ｘ２側に向かって互いに平行に延出し、また途中の離間基点９０から相互に離間する方向（矢印Ｙ方向外側）に延出している。各延出部８２は、矢印Ｘ方向に直交する断面視で円形状を呈する丸棒部８２ａを有し、また丸棒部８２ａの連結部８３寄りには丸棒部８２ａに連なる内側突出部８２ｂが設けられている。そして、一対の延出部８２、８２の互いに対向する内辺部９１、９１が、上述したチューブ１６を挟み込む空間部７０を構成している。
【００３２】
一対の内辺部９１、９１は、連結部８３から延出方向（矢印Ｘ２方向）に向かって順に、挟持用内辺部９１ａ、傾斜内辺部９１ｂ、待機用内辺部９１ｃ、凸部９１ｄ及び受容用内辺部９１ｅを有する。挟持用内辺部９１ａと傾斜内辺部９１ｂは、内側突出部８２ｂにより構成されている一方で、待機用内辺部９１ｃと受容用内辺部９１ｅは、丸棒部８２ａにより構成されている。この内辺部９１に応じて、空間部７０も、挟持空間７１、誘導空間７２、待機空間７３、狭隘空間７４及び受容空間７５を有するように構成される。
【００３３】
一対の挟持用内辺部９１ａ（内側突出部８２ｂ）は、矢印Ｘ１側が連結部８３に強固に連結され、また相互に近接していることで、間隔が充分に狭い挟持空間７１を維持するように形成されている。すなわち、一対の挟持用内辺部９１ａは、ユーザの操作によりチューブ１６が挟持空間７１に移動することに伴い、チューブ１６の外周面を押し潰してチューブ１６の流路１６ａを閉塞する。
【００３４】
また、一対の傾斜内辺部９１ｂ（内側突出部８２ｂ）は、矢印Ｘ１方向に向かって矢印Ｙ方向内側に徐々に傾斜していることで、待機空間７３から挟持空間７１に向かって間隔が徐々に狭まる誘導空間７２を形成している。一対の傾斜内辺部９１ｂは、挟持用内辺部９１ａや待機用内辺部９１ｃに滑らかに（Ｒ状に）連なっている。チューブ１６は、この誘導空間７２を介して、待機空間７３と挟持空間７１との間を円滑に移動する。
【００３５】
一対の待機用内辺部９１ｃ（丸棒部８２ａ）は、チューブ１６の外径よりも離間した間隔である待機空間７３を形成している。すなわち、待機空間７３は、チューブ１６の流路１６ａを開放した状態でチューブ１６を待機させることが可能である。待機空間７３の矢印Ｘ方向の寸法は、挟持空間７１の矢印Ｘ方向の寸法よりも短く設定されている。
【００３６】
一対の凸部９１ｄ、９１ｄは、待機用内辺部９１ｃに対して矢印Ｙ方向内側に突出し、相互の間隔が狭い狭隘空間７４を形成している。一対の凸部９１ｄ、９１ｄ同士の間隔は、チューブ１６の外径よりも狭く設定され、空間部７０の奥側（挟持空間７１、誘導空間７２及び待機空間７３）に配置されたチューブ１６の抜けを抑制する。なお、凸部９１ｄは、本実施形態において半球状に形成されているが、凸部９１ｄの形状は特に限定されず、フック状等に形成されていてもよい。
【００３７】
一対の受容用内辺部９１ｅ、９１ｅは、一対の凸部９１ｄ、９１ｄから相互に離間することで、矢印Ｘ２方向に向かって間隔が広がる受容空間７５を形成している。すなわち、一対の延出部８２、８２は、一対の凸部９１ｄ、９１ｄの形成箇所に離間基点９０を有し、この離間基点９０から外側に湾曲するように丸棒部８２ａが延在している（以下、この箇所を延出ガイド部９２という）。
【００３８】
空間部７０の開口７６は、一対の延出ガイド部９２、９２（受容用内辺部９１ｅ）の矢印Ｘ２側の端部（延出端部９２ａ）により構成され、この開口７６の間隔は、空間部７０において最も広くなっている。例えば、開口７６の間隔は、チューブ１６の外径に対し１．２倍以上に設定されるとよい。また、延出端部９２ａは、丸く形成されており、チューブ１６に刺さることが防止されている。
【００３９】
また、一対の延出部８２、８２は、クランプ１０Ａの側面視で、矢印Ｚ１方向（厚み方向の一方に形成された溝部８７）に向かって弓形に反っている（傾いている）。具体的には、延出部８２は、基部８１（矢印Ｘ１側）寄りにおいて傾かずに延出し、誘導空間７２付近の傾き基点９３から緩やかに湾曲して、矢印Ｚ１方向に円弧を描いている。
【００４０】
また、傾き基点９３から湾曲している延出部８２（延出端部９２ａ）の矢印Ｚ方向の高さは、隆起部８４の高さと同程度、また隆起部８４の上面よりも上方側に多少突き出るように設定されるとよい。これによりチューブ１６を溝部８７に配置した際に、チューブ１６が容易に空間部７０の受容空間７５に位置するようになる。なお、傾き基点９３の位置（延出部８２の湾曲が開始される箇所）は、特に限定されるものではなく、挟持空間７１よりも矢印Ｘ２側に設定されるとよい。また、クランプ１０Ａは、溝部８７の延在方向と相対的に、延出部８２全体が傾斜して延在していてもよい。
【００４１】
以上のクランプ１０Ａを構成する材料は、チューブ１６を閉塞可能な剛性と適度に弾性変形可能な柔軟性を有することが好ましい。例えば、クランプ１０Ａを構成する材料としては、ポリプロピレン、ポリカーボネート、ポリアミド、ポリスルホン、ポリアリレート、メタクリレート−ブチレン−スチレン共重合体等の熱可塑性樹脂があげられる。
【００４２】
第１実施形態に係るクランプ１０Ａは、以上のように構成され、次に、クランプ１０Ａの使用方法について説明する。
【００４３】
図１に示すように、血液バッグシステム１４（分離処理部２４）は、遠心分離移送装置１２のユーザにより、インサートユニットにセットされ、このインサートユニットと共に遠心ドラム５４のユニット挿入孔５４ａに装着される。インサートユニットの装着後、遠心分離移送装置１２は遠心分離を実施する。
【００４４】
遠心分離移送装置１２は、まずクランプ４８により第１チューブ４２を閉塞して血液の移送を規制した状態で、遠心ドラム５４を回転し親バッグ３４内の血液に遠心力を付与する。これにより親バッグ３４内において血液がＰＰＰとＲＢＣに分離する。
【００４５】
その後、遠心分離移送装置１２は、クランプ４８を開放して第１チューブ４２の流路１６ａを流通可能にし、また基体５０の押し子を進出することで、第１及び第２チューブ４２、４４を介して、親バッグ３４から子バッグ３６に遠心分離したＰＰＰを移送させる。この際、第３チューブ４６には封止部材４６ａが設けられているので、薬液バッグ３８にはＰＰＰが流動しない。そのため、ＰＰＰは、第２チューブ４４を介して子バッグ３６に良好に流入する。
【００４６】
そして、ユーザは、遠心分離の実施後にＰＰＰを子バッグ３６に流入させた後、第２チューブ４４にクランプ１０Ａを取り付ける。ユーザは、取り付け時に、図４Ａに示すように、クランプ１０Ａの矢印Ｚ１側の溝部８７をチューブ１６に対向させ、この溝部８７の延在方向（図３Ａ中の矢印Ｘ方向）とチューブ１６の延在方向とが概ね平行になる姿勢にする。そしてユーザは、図４Ｂに示すように、この平行姿勢を維持したまま、基部８１（一対の隆起部８４、８４）の溝部８７にチューブ１６を入れる。これにより、溝部８７内においてチューブ１６が平行に延在し、また先端開放部８８と基端開放部８９から露出された付近のチューブ１６も概ね直線状に延在するようにガイドされる。
【００４７】
ここで、チューブ１６を溝部８７に入り込ませる際には、一対の延出部８２、８２の間にもチューブ１６が容易に入り込む。特に、一対の延出ガイド部９２が相互に離れる方向に広がっていることで、空間部７０の開口７６は幅広になっている。チューブ１６は、一対の延出ガイド部９２の間からずれることが抑制されて、受容空間７５に導かれる。
【００４８】
図４Ｃに示すように、チューブ１６は、クランプ１０Ａの溝部８７と受容空間７５に配置された状態で、ユーザの操作下に、一対の凸部９１ｄの間に形成された狭隘空間７４を通して待機空間７３に移動する。この際、ユーザは、チューブ１６を溝部８７に沿わしたまま、チューブ１６の延在姿勢に対してクランプ１０Ａ自体を傾斜させる。あるいは、ユーザは、溝部８７の先端開放部８８から延出している部分のチューブ１６を空間部７０側に曲げる。つまり、ユーザは、クランプ１０Ａの溝部８７にチューブ１６が入り込んだ状態を維持しながら、空間部７０の奥側にチューブ１６を移動させることができる。
【００４９】
一対の凸部９１ｄは、チューブ１６が通過する際に、ユーザの操作下に一対の延出部８２、８２（又はチューブ１６自体）が弾性変形することでチューブ１６の通過を許容する。チューブ１６の通過後、一対の凸部９１ｄは、チューブ１６の外径よりも狭い狭隘空間７４に戻ることで、クランプ１０Ａからのチューブ１６の離脱を規制する。
【００５０】
特に、チューブ１６が狭隘空間７４を通過する際には、クランプ１０Ａの溝部８７を構成する一対の内壁部８７ｂが、チューブ１６に対するクランプ１０Ａの平行姿勢の傾きを抑制する。すなわち、クランプ１０Ａの溝部８７は、チューブ１６を一時的に配置させることで、チューブ１６に対するクランプ１０Ａの取付作業を容易化させる。
【００５１】
クランプ１０Ａは、チューブ１６が待機空間７３に移動した後、ユーザにより空間部７０の奥側にチューブ１６が押し込まれる。具体的には、図５Ａに示すように、ユーザは、チューブ１６の延在方向に対してクランプ１０Ａの姿勢を傾ける。待機空間７３に位置したチューブ１６は、一対の凸部９１ｄ、９１ｄにより抜けが規制されており、クランプ１０Ａの姿勢を傾けて溝部８７からチューブ１６が抜けても、空間部７０からチューブ１６が離脱することが防止される。
【００５２】
さらに図５Ｂに示すように、ユーザは、平坦部８５に指を当ててクランプ１０Ａをチューブ１６に押し込む。これにより、待機空間７３に配置されたチューブ１６が、誘導空間７２を介してクランプ１０Ａの挟持空間７１に円滑に移動される。つまり、チューブ１６は、誘導空間７２において一対の傾斜内辺部９１ｂ、９１ｂにより徐々に押圧されて挟持空間７１に移動する。そして、チューブ１６は、挟持空間７１において一対の挟持用内辺部９１ａ、９１ａにより完全に押し潰されて内部の流路１６ａが閉塞される。
【００５３】
その結果、血液バッグシステム１４は、遠心分離移送装置１２の基体５０から取り外される際に、クランプ１０Ａによりチューブ１６の流路１６ａが閉塞された状態となる。このため、子バッグ３６や薬液バッグ３８をインサートユニットから取り外す段階では、クランプ１０Ａにより第２及び第３チューブ４４、４６が確実に遮断されている。よって、クランプ１０Ａを使用した血液バッグシステム１４は、遠心分離後に、ＰＰＰが親バッグ３４に流れてＲＢＣに混ざる、ＰＰＰが薬液バッグ３８に流れて赤血球保存液に混ざる、赤血球が子バッグ３６に流れてＰＰＰに混ざる等の製品減損が防止される。
【００５４】
基体５０から取り出された血液バッグシステム１４は、クランプ１０Ａによる閉塞を継続した状態で、ユーザにより第２チューブ４４から子バッグ３６が切断され、この切断箇所が溶着される。その後、封止部材４６ａを破断すると薬液バッグ３８から親バッグ３４に向けて赤血球保存液が流動し、親バッグ３４のＲＢＣと赤血球保存液とを良好に混合させることができる。そして、親バッグ３４への赤血球保存液の移送後に、ユーザは、上記と同様の使用方法により第３チューブ４６をクランプ１０Ａで閉塞して、親バッグ３４を切断しその切断箇所を溶着することで、ＲＢＣを得ることができる。
【００５５】
なお、本発明は、上述の実施形態に限定されず、発明の要旨に沿って種々の改変が可能である。例えば、クランプ１０Ａが適用される対象は、血液バッグシステム１４に限定されず、液体を流動可能なチューブ１６を有し、採血や輸血、輸液等に使用される医療機器に適用することができる。
【００５６】
クランプ１０Ａの溝部８７は、チューブ１６を適宜配置できればよく、浅く形成されることも可能であり、またその深さが変化していてもよい。例えば、先端開放部８８が深く形成される一方で、基端開放部８９が浅く形成されることで、溝部８７の底部８７ａは、先端方向に向かって徐々に深くなるように構成されてもよい。また、クランプ１０Ａの溝部８７は、基部８１の上面及び下面のうちいずれか一つに設けられているだけでもよい。
【００５７】
一対の隆起部８４は、クランプ本体８０の厚み方向の一方（例えば、一対の延出部８２、８２が傾斜している方向）のみに設けられていてもよい。あるいは、クランプ１０Ａは、基部８１に隆起部８４を備えず、連結部８３に連続する基部８１の延在面（上面又は下面の少なくとも一方）に溝部８７を形成した構成でもよい。
【００５８】
また、クランプ１０Ａは、ユーザの好みに応じて別の使用方法を採ることができる。例えば、チューブ１６にクランプ１０Ａを取り付ける際に、図６Ａに示すように、クランプ１０Ａの矢印Ｚ２側の溝部８７（一対の延出部８２、８２が反った方向と反対側の溝部８７）にチューブ１６を挿入してもよい。このようにチューブ１６を矢印Ｚ２側の溝部８７に配置しても、チューブ１６を溝部８７に配置したままチューブ１６に対してクランプ１０Ａの姿勢を傾斜する、あるいはチューブ１６を曲げて空間部７０の奥側に押し込むことで、クランプ１０Ａをチューブ１６に容易に取り付けることができる。
【００５９】
また図６Ｂに示すように、遠心分離移送装置１２は、遠心ドラム５４の上面５４ｂに予めクランプ１０Ａを配置（固定、載置等）しておき、このクランプ１０Ａの上方からチューブ１６を挿入するようにしてもよい。この場合、ユーザは、クランプ１０Ａを触らずに、チューブ１６のみを操作することもできる。つまり、ユーザは、チューブ１６を溝部８７に一旦配置し、その後にチューブ１６を曲げて空間部７０の奥側に導くことで、チューブ１６とクランプ１０Ａの取り付けを簡単に行うことができる。
【００６０】
〔第２実施形態〕
第２実施形態に係るクランプ１０Ｂは、一対の延出部１００、１００が連結部８３から矢印Ｘ２方向に向かって直線状に延在している点で、第１実施形態に係るクランプ１０Ａと異なる。なお、他の構成については、基本的にクランプ１０Ａと同一であり同じ符号を付してその詳細な説明については省略する。
【００６１】
このように、一対の延出部１００、１００が直線状に延在している構成でも、使用時に、チューブ１６を溝部８７に一旦配置することで、チューブ１６の延在方向とクランプ１０Ｂの延在方向とを平行にすることができる。そのため、クランプ１０Ｂの空間部７０にチューブ１６をスムーズに挿入することが可能となる。
【００６２】
上記のクランプ１０Ａ、１０Ｂの実施形態から把握し得る技術的思想について、以下に記載する。
【００６３】
クランプ１０Ａ、１０Ｂは、基部８１の厚み方向の少なくとも一方に溝部８７を有することで、クランプ１０Ａ、１０Ｂをチューブ１６に取り付ける際に、チューブ１６を溝部８７に一旦配置させて、チューブ１６の延在方向とクランプ１０Ａ、１０Ｂの空間部７０の延在方向とを一致させることができる。よって、クランプ１０Ａ、１０Ｂのユーザは、チューブ１６を溝部８７に位置させつつ、チューブ１６と相対的にクランプ１０Ａ、１０Ｂを傾ければ、チューブ１６を空間部７０に容易に差し込むことが可能となる。すなわち、クランプ１０Ａ、１０Ｂは、簡単な操作で、チューブ１６を空間部７０内に導き一対の延出部８２、８２（一対の延出部１００、１００）によりチューブ１６の流路１６ａを閉塞することができる。従って、クランプ１０Ａ、１０Ｂの使用時の作業性が向上し、例えば多数のチューブ１６にクランプ１０Ａ、１０Ｂをそれぞれ取り付ける場合でも、ユーザは短時間に作業を行うことが可能となる。
【００６４】
また、基部８１は、厚み方向に向かって隆起する一対の隆起部８４、８４を有し、一対の隆起部８４、８４の間に溝部８７が設けられている。クランプ１０Ａ、１０Ｂは、一対の隆起部８４、８４により、溝部８７に配置されたチューブ１６と、一対の延出部８２、８２（一対の延出部１００、１００）により形成された空間部７０との相対的な高さ位置を適切に設定することが可能となる。従って、空間部７０に対するチューブ１６の挿入性を高めることができる。
【００６５】
また、基部８１は、一対の延出部８２、８２（一対の延出部１００、１００）が連結している面と反対側の面に平坦部８５又は凹部８６を有する。隆起部８４に設けられた平坦部８５及び凹部８６は、チューブ１６に対してクランプ１０Ａ、１０Ｂを押し進める際に、ユーザの指が当たる予定部を構成することができる。これにより、ユーザは、平坦部８５又は凹部８６を押すことで、チューブ１６を空間部７０の奥部に簡単に移動させて、チューブ１６の流路１６ａをスムーズに閉塞することができる。
【００６６】
また、溝部８７は、基部８１の一対の延出部８２、８２が連結されている面と、この面の反対面とに開放部（先端開放部８８、基端開放部８９）を有する。これにより、クランプ１０Ａ、１０Ｂは、溝部８７に配置されたチューブ１６を空間部７０に近接する位置に容易に沿わせることができ、空間部７０へのチューブ１６の挿入性をより高めることが可能となる。
【００６７】
また、基部８１は、厚み方向の両方に溝部８７を有する。これにより、クランプ１０Ａ、１０Ｂのユーザは、溝部８７が形成されている向きを気にせずに、チューブ１６を溝部８７に配置することができる。またユーザは、一対の延出部８２が反っている場合に、自身の操作のし易さ（空間部７０への挿入し易さ）に応じてクランプ１０Ａ、１０Ｂの２つの溝部８７のうち一方を選んで、チューブ１６を空間部７０に挿入することができる。
【００６８】
また、一対の延出部８２、８２（一対の延出部１００、１００）は、空間部７０を構成する内辺部９１の各々に内側に突出する凸部９１ｄを有し、空間部７０は、一対の凸部９１ｄ、９１ｄの間に形成されチューブ１６の外径よりも狭い狭隘空間７４と、狭隘空間７４の基部８１側に連通して、流路１６ａを開放した状態でチューブ１６を待機可能な待機空間７３と、待機空間７３の基部８１側に連通して、チューブ１６を挟み込むことで流路１６ａを閉塞する挟持空間７１と、を有する。これにより、クランプ１０Ａ、１０Ｂは、一対の凸部９１ｄ、９１ｄよりも奥側にチューブ１６が移動すると、一対の凸部９１ｄ、９１ｄによって空間部７０からのチューブ１６の抜けを規制することができる。そして、クランプ１０Ａ、１０Ｂのユーザは、適宜のタイミングで待機空間７３に配置したチューブ１６を挟持空間７１に移動することで、流路１６ａを簡単に閉塞することができる。
【００６９】
また、一対の延出部８２、８２（一対の延出部１００、１００）の各々には、凸部９１ｄよりも基部８１から離れる方向に延出する延出ガイド部９２が設けられ、一対の延出ガイド部９２、９２は、延出方向に沿って相互に離間することで、狭隘空間７４に連通し且つ空間部７０が幅方向に広がる受容空間７５を形成している。クランプ１０Ａ、１０Ｂは、受容空間７５を形成する一対の延出ガイド部９２、９２を備えることで、チューブ１６を空間部７０に一層受け容れ易くすることができる。
【００７０】
また、一対の延出部８２、８２は、少なくとも延出方向途中位置（傾き基点９３）から溝部８７の形成側に傾いている。クランプ１０Ａは、一対の延出部８２、８２が溝部８７の形成側に傾いていることで、クランプ１０Ａの姿勢を大きく傾けることなくチューブ１６を溝部８７に配置させ、このチューブ１６を空間部７０に簡単に入り込ませることができる。
【符号の説明】
【００７１】
１０Ａ、１０Ｂ…クランプ                １２…遠心分離移送装置
１４…血液バッグシステム                １６…チューブ
１６ａ…流路                            ７０…空間部
７１…挟持空間                          ７２…誘導空間
７３…待機空間                          ７４…狭隘空間
７５…受容空間                          ７６…開口
８０…クランプ本体                      ８１…基部
８２、１００…延出部                    ８４…隆起部
８５…平坦部                            ８６…凹部
８７…溝部                              ９１…内辺部
９１ｄ…凸部                            ９２…延出ガイド部
【図１】
2020048831.tif 000003
【図２】
2020048831.tif 000004
【図３】
2020048831.tif 000005
【図４】
2020048831.tif 000006
【図５】
2020048831.tif 000007
【図６】
2020048831.tif 000008
【図７】
2020048831.tif 000009